(57)【要約】【課題】接地部材とステーの下端部との嵌合状態を安定化して組み付け作業を迅速に行うことができる室外機の載置台を提供する。【解決手段】第１及び第２ベース部材１１，１２を構成するベース部材本体２１の一端部に第１及び第２短寸ステー１３，１４を連結し、第１及び第２短寸ステー１３，１４の下端部に第１接地部材１５を連結する。前記ベース部材本体２１の他端部に第１及び第２長寸ステー１６，１７を構成する固定ステー４１を連結し、固定ステー４１の下部に可動ステー４２を長さ調節可能に連結する。可動ステー４２の下端部に第２接地部材１８を水平に連結する。前記第１及び第２短寸ステー１３，１４の下端部に前記第１接地部材１５の上面に一体形成された凸条部１５ｂに上方から嵌合される凹部１３ｉを形成する。可動ステー４２の下端部に前記第２接地部材１８の上面に形成された凸条部１８ｂに上方から嵌合される凹部４２ｇを形成する。【選択図】      図１
2006125786.tif 000002
【特許請求の範囲】
【請求項１】
室外機を積載する棒状をなす一対のベース部材と、屋根上に所定の間隔を置いて平行に設置されるレール状をなす一対の接地部材と、前記両ベース部材と両接地部材との間にそれぞれ介在されてベース部材を支持し、両接地部材へ両ベース部材を固定する短寸ステーと長寸ステーを備えた室外機の載置台において、
前記両接地部材の上面に該接地部材の長手方向に指向する凸条部又は凹条溝を設け、前記各短寸ステーと長寸ステーの下端部に対し、前記凸条部又は凹条溝に上方から嵌合され、かつ凸条部又は凹条溝に沿ってスライド可能な凹部又は凸部を形成し、前記各短寸ステーと長寸ステーの下端部を前記接地部材に固定する固定手段を設けたことを特徴とする室外機の載置台。  
【請求項２】
請求項１において、前記両接地部材の上面に前記凸条部が設けられ、前記各短寸ステーと長寸ステーの下端部に前記凹部が設けられ、前記固定手段は、前記凸条部の側面に該凸条部の長手方向に形成されたボルト螺合用の溝部と、前記各ステーの下端部に前記凹部と対応して形成された貫通孔から前記溝部に螺合される取付ボルトとにより構成されていることを特徴とする室外機の載置台。
【請求項３】
請求項１又は２において、前記長寸ステーは長さの調節可能に構成されていることを特徴とする室外機の載置台。
【請求項４】
請求項３において、前記短寸ステーと、長寸ステーを構成する固定ステーは、それらの取付位置が反転可能に構成されていることを特徴とする室外機の載置台。
【請求項５】
請求項４において、前記長寸ステーは前記ベース部材の端部に連結される固定ステーと、該固定ステーに対しスライド可能に、かつ任意の位置で固定可能に嵌合された可動ステーとにより構成されていることを特徴とする室外機の載置台。
【請求項６】
請求項５において、前記可動ステーは筒状に形成され、その裏面には前記固定ステーの外表面にスライド接触されるスライド用レールが形成されていることを特徴とする室外機の載置台。
【発明の詳細な説明】
【技術分野】
【０００１】
本発明は、エアコンなどの室外機の載置台に係り、詳しくは組み立て時間の短縮を図ることができる室外機の載置台に関する。
【背景技術】
【０００２】
一般に、エアコン室外機の載置台は、所定の傾斜角を有する屋根に装着されるようになっている。この載置台は室外機を載置する左右一対の水平のベース部材と、この両ベース部材の一端部にそれぞれ下向きに連結された第１及び第２の短寸ステーと、前記両ベース部材の他端部にそれぞれ下向きに連結された第１及び第２の長寸ステーと、前記両短寸ステーの下端部間に連結された第１接地部材と、前記両長寸ステーの下端部間に連結された第２接地部材とにより構成されている。
【０００３】
前記第１接地部材又は第２接地部材に対する前記短寸ステー又は長寸ステーの下端部の連結構造として、特許文献１に開示されたものがある。この連結構造は、前記接地部材を横長扁平四角筒状に形成し、その上面に対し長手方向にスリットを設け、該接地部材の内部に板状の摺動子を長手方向の位置の調節可能に収容している。又、前記摺動子の下面に取り付けたナットに対し、ステーの下端部に取り付けられたボルト孔付きプレートの上方から、前記ナットにボルトを螺合して接地部材とステーを連結するようになっている。
【０００４】
又、前記接地部材とステーの連結構造として、特許文献２に開示されたものが提案されている。この連結構造は、接地部材を座板により樋状に形成し、この座板の内部に、ステーの下端部を嵌入して座板の側壁に水平方向に形成したスリットからステーの下端部に形成した貫通孔にボルトを挿通して、該ボルトにナットを螺合することにより接地部材とステーを連結するようになっている。
【特許文献１】特開平１０−１７００３１号公報
【特許文献２】実公平３−８９０３号公報
【発明の開示】
【発明が解決しようとする課題】
【０００５】
ところが、特許文献１に開示された接地部材とステーの連結構造は、接地部材の両端部から摺動子及びボルト孔付きプレートをベース部材とともに中央部にスライドさせる必要があり、かつ、短寸ステーと長寸ステーを同時にスライドさせる必要があるので、組み付け作業が面倒であるという問題があった。
【０００６】
又、特許文献２に開示された連結構造は、座板の内部にステーの下端部を嵌入してボルトとナットにより締め付け固定するようになっていたので、ボルトとナットにより座板とステーを締め付ける以前には、座板とステーの下端部の嵌合状態が不安定となり、組み付け作業が面倒であるという問題があった。
【０００７】
本発明は、上記従来の技術に存する問題点を解消して、接地部材とステーの下端部との嵌合状態を安定化して組み付け作業を迅速に行うことができる室外機の載置台を提供することにある。
【課題を解決するための手段】
【０００８】
上記問題点を解決するために、請求項１に記載の発明は、室外機を積載する棒状をなす一対のベース部材と、屋根上に所定の間隔を置いて平行に設置されるレール状をなす一対の接地部材と、前記両ベース部材と両接地部材との間にそれぞれ介在されてベース部材を支持し、両接地部材へ両ベース部材を固定する短寸ステーと長寸ステーを備えた室外機の載置台において、前記両接地部材の上面に該接地部材の長手方向に指向する凸条部又は凹条溝を設け、前記各短寸ステーと長寸ステーの下端部に対し、前記凸条部又は凹条溝に上方から嵌合され、かつ凸条部又は凹条溝に沿ってスライド可能な凹部又は凸部を形成し、前記各短寸ステーと長寸ステーの下端部を前記接地部材に固定する固定手段を設けたことを要旨とする。
【０００９】
請求項２に記載の発明は、請求項１において、前記両接地部材の上面に前記凸条部が設けられ、前記各短寸ステーと長寸ステーの下端部に前記凹部が設けられ、前記固定手段は、前記凸条部の側面に該凸条部の長手方向に形成されたボルト螺合用の溝部と、前記各ステーの下端部に前記凹部と対応して形成された貫通孔から前記溝部に螺合される取付ボルトとにより構成されていることを要旨とする。
【００１０】
請求項３に記載の発明は、請求項１又は２において、前記長寸ステーは長さの調節可能に構成されていることを要旨とする。
請求項４に記載の発明は、請求項３において、前記短寸ステーと、長寸ステーを構成する固定ステーは、それらの取付位置が反転可能に構成されていることを要旨とする。
【００１１】
請求項５に記載の発明は、請求項４において、前記長寸ステーは前記ベース部材の端部に連結される固定ステーと、該固定ステーに対しスライド可能に、かつ任意の位置で固定可能に嵌合された可動ステーとにより構成されていることを要旨とする。
【００１２】
請求項６に記載の発明は、請求項５において、前記可動ステーは筒状に形成され、その裏面には前記固定ステーの外表面にスライド接触されるスライド用レールが形成されていることを要旨とする。
【発明の効果】
【００１３】
本発明によれば、前記両接地部材の上面に形成された凸条部又は凹条溝に対し、前記各短寸ステーと長寸ステーの下端部に形成された凹部又は凸部を上方から嵌合することができるので、組み付け時にステーをスライドさせる必要がなく、組み付け作業を容易に行うことができる。又、接地部材とステーは凹凸の関係で嵌合されるので、固定手段による固定前に嵌合状態を安定化することができ、この点からも組み付け作業を容易に行うことができる。
【発明を実施するための最良の形態】
【００１４】
以下、本発明を具体化した室外機の載置台の一実施形態を図１〜図１２にしたがって説明する。
この実施形態の載置台は、概略的に見て、図１に示すように、エアコンの室外機を載置する左右一対の第１，第２ベース部材１１，１２と、第１及び第２ベース部材１１，１２の一（左）端部に下向きに連結された第１，第２短寸ステー１３，１４と、第１及び第２短寸ステー１３，１４の下端部間に水平に連結され、かつ、屋根の上面に支持される第１接地部材１５とを備えている。又、載置台は、前記第１及び第２ベース部材１１，１２の他（右）端部に下向きに連結された長さ調節可能な第１，第２長寸ステー１６，１７と、この第１及び第２長寸ステー１６，１７の下端部間に水平に連結され、かつ屋根の上面に支持される第２接地部材１８とを備えている。
【００１５】
次に、前述した各部材について順次説明する。この実施形態では、左右一対の第１及び第２ベース部材１１，１２、第１及び第２短寸ステー１３，１４及び第１及び第２長寸ステー１６，１７は、それぞれ同様に構成されているので、左側の各部材について説明し、右側の各部材については同一符号を付して説明を簡略する。
【００１６】
前記第１ベース部材１１を構成するベース部材本体２１は例えばアルミニウム材料により横長四角筒状に押し出し成型され、ベース部材本体２１の上面には、スリット２１ａが長手方向に全域にわたって形成され、このスリット２１ａを用いて、図２，３に示すようにゴム製のクッション２２、ボルト２３及びナット２４が２箇所に取り付けられている。前記クッション２２、ボルト２３及びナット２４によって図示しないエアコン用の室外機の脚部の下端部が取り付けられるようになっている。なお、前記スリット２１ａの中央部には、前記ナット２４をベース部材本体２１内に入れるための孔２１ｂが形成されている。
【００１７】
図３に示すように前記第１ベース部材１１の一端部に連結された第１短寸ステー１３は、図４に示すように例えばアルミニウム材料により押し出し成型可能に形成されている。この第１短寸ステー１３は、ほぼ四角筒状に形成された筒状部１３ａと、この筒状部１３ａの左右両側部に一体に側方に、かつ互いに平行に張り出し形成された連結板１３ｂ，１３ｃとにより構成され、連結板１３ｂ，１３ｃには貫通孔１３ｄが形成され、図３に示すように、前記ベース部材本体２１の左端部に前記連結板１３ｂ，１３ｃを嵌入した状態で、リベット３１をベース部材本体２１に形成した貫通孔（図示せず）と前記貫通孔１３ｄに貫通してかしめ付けることによりベース部材本体２１に第１短寸ステー１３を連結している。
【００１８】
図４に示すように、前記第１短寸ステー１３の筒状部１３ａは、左右両側壁板１３ｅ，１３ｆと、緩やかな円弧状をなす前壁板１３ｇと後壁板１３ｈとによってほぼ四角筒状に形成され、前記側壁板１３ｅ，１３ｆの下部には、前記第１接地部材１５を取り付けるための凹部１３ｉが切り欠き形成されている。前記前壁板１３ｇの内面には左右一対のレール状をなすリブ１３ｊが上下方向に互いに平行に一体に形成され、両リブ１３ｊの先端部には係止リブ１３ｋが互いに接近するように一体に形成され、リブ１３ｊ及び係止リブ１３ｋによってナット３３を回動不能に収容する収容溝１３ｌが形成されている。前記前壁板１３ｇの下部には、図３に示すようにビス３２を貫通する貫通孔１３ｍが形成され、中央部には、後述する締付ボルト４３を挿通するボルト貫通孔１３ｎが形成されている。
【００１９】
図３に示すように前記係止リブ１３ｋには、切り込み１３ｏがそれぞれ二箇所に形成され、前記ナット３３を前記貫通孔１３ｎと対応する位置に保持した状態で、各切り込み１３ｏの外側のリブ１３ｋの一部を収容溝１３ｌ側へ塑性変形して進入させることによりナット３３を所定位置に保持するようになっている。又、第１短寸ステー１３の上端部には開口を閉塞するためのキャップ３４が取り付けられている。
【００２０】
図３に示す前記第１接地部材１５は例えばアルミニウム材料により押し出し成型され、その本体１５ａの上面には、前記第１短寸ステー１３に形成した凹部１３ｉに嵌合される凸条部１５ｂが一体に形成され、凸条部１５ｂの左側壁面には、前記ビス３２を螺合するための溝部１５ｃが一体に、かつ凸条部１５ｂの長手方向全域に亘って形成されている。前記第１短寸ステー１３の凹部１３ｉは前記第１接地部材１５の凸条部１５ｂの任意の部位に対して上方から嵌合されるようになっている。そして、前記第１短寸ステー１３の貫通孔１３ｍにビス３２を貫通して、前記第１接地部材１５の溝部１５ｃにビス３２を螺合することによって、第１短寸ステー１３と第１接地部材１５が連結されている。
【００２１】
この実施形態では、前記凸条部１５ｂの溝部１５ｃと、第１短寸ステー１３の前壁板１３ｇに形成した貫通孔１３ｍに貫通されるビス３２とにより第１短寸ステー１３と第１接地部材１５を固定する固定手段を構成している。
【００２２】
次に、前記第１長寸ステー１６について説明する。
この第１長寸ステー１６は、図５に示すように前記ベース部材本体２１の他端部に下向きに連結された固定ステー４１と、この固定ステー４１の下端部に長さ調節可能に連結された可動ステー４２とによって構成されている。図５及び図６に示す前記固定ステー４１は、例えばアルミニウム材料により押し出し成型可能に形成されている。この固定ステー４１は、ほぼ四角筒状に形成された筒状部４１ａと、この筒状部４１ａの左右両側部に一体に側方に、かつ互いに平行に張り出し形成された一対の連結板４１ｂ，４１ｃとにより構成されている。両連結板４１ｂ，４１ｃには貫通孔４１ｄが形成され、図５に示すように、前記ベース部材本体２１の右端部に前記連結板４１ｂ，４１ｃを嵌入した状態で、リベット３１をベース部材本体２１の側面に形成した貫通孔（図示せず）と前記貫通孔４１ｄに貫通してかしめ付けることによりベース部材本体２１に固定ステー４１を連結している。
【００２３】
前記固定ステー４１の筒状部４１ａは、図６に示すように左右両側壁板４１ｅ，４１ｆと、緩やかな円弧状をなす前壁板４１ｇと後壁板４１ｈとによって形成され、前記側壁板４１ｅ，４１ｆの下部には、前記第２接地部材１８を取り付けるための凹部４１ｉが切り欠き形成されている。前記前壁板４１ｇの裏面には左右一対のレール状をなすリブ４１ｊが上下方向に互いに平行に一体に形成され、両リブ４１ｊの先端部には係止リブ４１ｋが互いに接近するように一体に形成され、リブ４１ｊ及び係止リブ４１ｋによってナット４４を回動不能に収容する収容溝４１ｌが形成されている。前記前壁板４１ｇの下部には、前記ナット４４に螺合される締付ボルト４３を貫通する貫通孔４１ｎが形成されている。図５に示すように前記係止リブ４１ｋには、切り込み４１ｍがそれぞれ二箇所に形成され、前記ナット４４を前記貫通孔４１ｎと対応する位置に保持した状態で、各切り込み４１ｍの外側のリブ４１ｋの一部を収容溝４１ｌ側へ塑性変形して進入させることによりナット４４を所定位置に保持するようになっている。
【００２４】
図６に示す前記可動ステー４２は、例えばアルミニウム材料により押し出し成型されている。この可動ステー４２は縦長のチャンネル状に形成され、前記固定ステー４１の側壁板４１ｅ，４１ｆの外表面に接触される側壁板４２ａ，４２ｂと、両側壁板４２ａ，４２ｂの側端縁を一体に連結する前壁板４２ｃとによって構成されている。前記前壁板４２ｃの裏面には左右一対のスライド用レール４２ｄ，４２ｅが可動ステー４２の長手方向全長にわたって一体に形成され、スライド用レール４２ｄ，４２ｅの先端縁は、図７に示すように、前記固定ステー４１の前壁板４１ｇの外表面にスライド接触されるようになっている。前記可動ステー４２の前壁板４２ｃの中央部には図６に示すように長手方向にスリット４２ｆが形成され、このスリット４２ｆに貫通した締付ボルト４３を前記固定ステー４１の貫通孔４１ｎに貫通して、前記収容溝４１ｌ内に保持されたナット４４に螺合することにより、固定ステー４１と可動ステー４２を所定長さ寸法の状態で連結するようにしている。
【００２５】
図４に示す第１短寸ステー１３と、図６に示す固定ステー４１は、取付位置の反転可能に構成されている。図３に示す第１短寸ステー１３のナット３３は、図２において、第１短寸ステー１３と第１長寸ステー１６の固定ステー４１との取付位置を入れ換えて、第１短寸ステー１３に可動ステー４２を装着して締付ボルト４３をナット３３に螺合し、屋根Ｙの傾斜角に応じて第１長寸ステー１６の長さを調節する場合に用いられる。
【００２６】
図５，７に示すように前記締付ボルト４３の頭部と可動ステー４２の前壁板４２ｃの表面との間には、アルミニウム製のスペーサ４５が介在されている。前記可動ステー４２の前壁板４２ｃの上端部には前記固定ステー４１の前壁板４１ｇの外表面と、前壁板４２ｃの内表面との隙間を塞ぐためのキャップ４６が取り付けられている。又、前記筒状部４１ａの上端部には、開口を閉塞するためのキャップ４７が取り付けられている。
【００２７】
図８に示す前記第２接地部材１８は例えばアルミニウム材料により押し出し成型され、その本体１８ａの上面には、前記可動ステー４２に形成した凹部４２ｇに嵌合される凸条部１８ｂが一体に形成され、凸条部１８ｂの右側壁面には、ビス４８を螺合するための溝部１８ｃが凸条部１８ｂの長手方向全長に亘って、一体に形成されている。前記可動ステー４２の凹部４２ｇは前記第２接地部材１８の凸条部１８ｂの任意の部位に対して上方から嵌合されるようになっている。そして、前記可動ステー４２の貫通孔４２ｉにビス４８を貫通して、前記第２接地部材１８の溝部１８ｃにビス４８を螺合することによって、可動ステー４２と第２接地部材１８が連結されている。
【００２８】
この実施形態では、前記凸条部１８ｂの溝部１８ｃと、可動ステー４２の前壁板４２ｃに形成した貫通孔４２ｉに貫通されるビス４８とにより４２と第２接地部材１８を固定する固定手段を構成している。
【００２９】
図１に示すように、前記第１接地部材１５及び第２接地部材１８には、複数箇所にゴム製の滑り止め３５が取り外し可能に装着されている。
次に、前記のように構成されたエアコン室外機の載置台の動作について説明する。
【００３０】
図２は、載置台が所定傾斜角の屋根Ｙの上面の所定位置に図示しない取り付け用のワイヤーとボルト等によって装着された状態を示す。この状態において、屋根Ｙの傾斜角が緩やかな場合には、前記ナット４４に螺合された締付ボルト４３を緩めて（又は外して第１及び第２ベース部材１１，１２を反転の上）、第１及び第２長寸ステー１６，１７の固定ステー４１（又は第１短寸ステー１３及び第２短寸ステー１４）に対して可動ステー４２を上方向にスライドさせ、第１及び第２ベース部材１１，１２が水平状態となるように長さ（高さ）調節した状態で、前記締付ボルト４３を螺入方向に回動して固定ステー４１（又は第１短寸ステー１３及び第２短寸ステー１４）と可動ステー４２を締め付け固定する。
【００３１】
図２は前記第１及び第２長寸ステー１６，１７が最大長さ寸法に設定され、屋根Ｙの傾斜角が最大の取付状態を示す。屋根の勾配が、図９に示すように図２に示す傾斜角よりも可なり緩やかな場合には、前記ボルト４３を緩めて、第１及び第２長寸ステー１６，１７の長さを調節し、その有効長さ寸法を最小にして、第１及び第２ベース部材１１，１２を水平に保持する。
【００３２】
屋根Ｙの傾斜角が、図９に示す傾斜角よりも図１０に示すように、さらに緩やかになった場合には、前記第１及び第２長寸ステー１６，１７を構成する固定ステー４１から可動ステー４２を分離し、固定ステー４１の下端部に第２接地部材１８を連結する。又、前記第１及び第２短寸ステー１３，１４に分離された可動ステー４２を嵌合させ、ボルト４３をナット３３に螺合することにより、第１及び第２短寸ステー１３，１４と可動ステー４２を連結する。
【００３３】
図１１に示すように、屋根Ｙが水平の場合には、前記第１及び第２短寸ステー１３，１４に対し、前記可動ステー４２をスライド移動して、可動ステー４２の下端部を第１及び第２ベース部材１１，１２から下方に延長する。
【００３４】
図１２に示すように、図１０に示す屋根Ｙよりも傾斜角がやや大きい場合には、第１及び第２短寸ステー１３，１４に装着した可動ステー４２を取り外して、第１及び第２短寸ステー１３，１４及び固定ステー４１によって、第１及び第２ベース部材１１，１２を支持する。
【００３５】
上記実施形態のエアコンの室外機の載置台によれば、以下のような効果を得ることができる。
（１）上記実施形態では、前記第１短寸ステー１３の下部に凹部１３ｉを設け、前記第１接地部材１５の上面に前記凹部１３ｉに嵌入される凸条部１５ｂを第１接地部材１５の長手方向に全長に亘って一体に形成した。このため、前記第１接地部材１５の凸条部１５ｂの任意の位置に対し第１短寸ステー１３を上方から容易に嵌合することができ、スライドさせて位置決めする構成と比較して、第１短寸ステー１３と第１接地部材１５の嵌合動作を迅速に行うことができる。
【００３６】
（２）上記実施形態では、第１接地部材１５の凸条部１５ｂの左右両側面に両側方から接触する凹部１３ｉを形成したので、第１短寸ステー１３と第１接地部材１５を固定手段により固定する以前に嵌合状態を安定化することができ、組付け作業を迅速に行うことができる。
【００３７】
（３）上記実施形態では、第１接地部材１５の凸条部１５ｂの側面に溝部１５ｃを長手方向に連続的に形成し、第１短寸ステー１３の貫通孔１３ｍから挿入されるビス３２を溝部１５ｃに螺入するようにした。このため、第１接地部材１５に対する第１短寸ステー１３の組付け位置が変更になっても第１短寸ステー１３と第１接地部材１５を確実に連結することができる。
【００３８】
（４）上記実施形態では、第１短寸ステー１３の筒状部１３ａの内部にナット３３を収容する収容溝１３ｌ及び締付ボルト４３を貫通するボルト貫通孔１３ｎを設けた。このため、前記第１短寸ステー１３の下端部から第１接地部材１５を取り外した後に、第１短寸ステー１３に対し第１及び第２長寸ステー１６，１７を構成する可動ステー４２を装着することができ、屋根Ｙの傾斜角の変化に容易に対応することができる。
【００３９】
（５）上記実施形態では、前記長寸ステー１６，１７は長さの調節可能に構成されているので、屋根Ｙの傾斜角の変化に容易に対応することができる。
（６）前記可動ステー４２は筒状に形成され、その裏面には前記固定ステー４１の前壁板４１ｇの外表面にスライド接触されるスライド用レール４２ｄ，４２ｅが形成されている。このため、前記固定ステー４１の前壁板４１ｇに対して、ナット４４に螺合された締付ボルト４３を緩めて、可動ステー４２をスライドさせる際に、前壁板４１ｇと前壁板４２ｃの接触面積を低減して、スライド動作を円滑に行い長さ調節作業を容易に行うことができる。又、前記固定ステー４１の前壁板４１ｇの外表面にスライド動作によって形成されるスライド跡を低減して、外観を向上することができる。
【００４０】
なお、上記実施形態は以下のように変更してもよい。
○  図１３は、第１及び第２短寸ステー１３，１４の高さ寸法を前記実施形態のものと比較して長く設定するとともに、前記固定ステー４１の傾斜角と同じ角度で下端ほど左方に変位するように若干傾斜した構成となっている。
【００４１】
この別例においては、図１４に示すように、前記第１及び第２短寸ステー１３，１４と、固定ステー４１の取付位置を互いに反転することによって、屋根Ｙの傾斜角の変化に対応することができる。又、図１５に示すように前記第１及び第２長寸ステー１６，１７の高さを調節することにより、緩やかな傾斜角の屋根Ｙに対応することができる。
【００４２】
○  図１６は、第１及び第２短寸ステー１３，１４を省略すると共に、第１及び第２ベース部材１１，１２の左端部にも固定ステー４１を装着し、水平の屋根Ｙに対応可能にしたものである。
【００４３】
○  図示しないが、第１及び第２接地部材１５，１８の上面に溝部を形成し、第１及び第２短寸ステー１３，１４及び可動ステー４２の下端部に凸部を形成し、第１及び第２接地部材１５，１８の側面にビス３２，４８を螺合する溝部を形成してもよい。
【図面の簡単な説明】
【００４４】
【図１】この発明のエアコン等の室外機の載置台を具体化した一実施形態を示す斜視図。
【図２】載置台の左側面図。
【図３】短寸ステーの取付状態を示す拡大断面図。
【図４】短寸ステーを示す斜視図。
【図５】長寸ステーの取付状態を示す拡大断面図。
【図６】固定ステーと可動ステーを分離して示す拡大斜視図。
【図７】固定ステーと可動ステーの組み付け状態を示す拡大平面図。
【図８】可動ステーと第２接地部材の組み付け状態を示す拡大断面図。
【図９】図１に示す載置台の別の使用状態を示す左側面図。
【図１０】図１に示す載置台の別の使用状態を示す左側面図。
【図１１】図１に示す載置台の別の使用状態を示す左側面図。
【図１２】図１に示す載置台の別の使用状態を示す左側面図。
【図１３】この発明の載置台の別の実施形態を示す左側面図。
【図１４】図１３に示す載置台の別の使用状態を示す左側面図。
【図１５】図１３に示す載置台の別の使用状態を示す左側面図。
【図１６】この発明の載置台の別の実施形態を示す左側面図。
【符号の説明】
【００４５】
Ｙ…屋根、１３ｍ，１３ｎ，４１ｎ，４２ｉ…貫通孔、１３ｉ，４１ｉ，４２ｇ…凹部、１５ｂ，１８ｂ…凸条部、１６，１７…長寸ステー、４１…固定ステー、４２…可動ステー、４２ｄ，４２ｅ…スライド用レール。
【図１】
2006125786.tif 000003
【図２】
2006125786.tif 000004
【図３】
2006125786.tif 000005
【図４】
2006125786.tif 000006
【図５】
2006125786.tif 000007
【図６】
2006125786.tif 000008
【図７】
2006125786.tif 000009
【図８】
2006125786.tif 000010
【図９】
2006125786.tif 000011
【図１０】
2006125786.tif 000012
【図１１】
2006125786.tif 000013
【図１２】
2006125786.tif 000014
【図１３】
2006125786.tif 000015
【図１４】
2006125786.tif 000016
【図１５】
2006125786.tif 000017
【図１６】
2006125786.tif 000018